(57)【要約】【課題】広面積現場でのマーキング作業にも好適に適用できるとともに、持ち運びや現場での設置作業を簡便かつスムーズに行えるうえ、テンプレート標示位置の精度も維持できる実用性の高いマーキング用テンプレートシート装置を提供する。【解決手段】適用物の位置のテンプレート標示Ｍ１〜Ｍ４を施した複数のシート体であって、それらの一部を重畳させて大シートを形成させた状態で完成されたテンプレート標示Ｍ１〜Ｍ４を表示させる複数のシート体１２ａ，１２ｂと、複数のシート体の重畳部の離隔複数位置において大シート状態でのシートの平面性を維持しつつ相互のシート体１２ａ，１２ｂに取り付けた着脱接合部材１８，２１を介して着脱自在に重畳接続する着脱接合手段１４と、を備えたことを特徴とするマーキング用テンプレートシート装置１０から構成される。【選択図】図１
2008107213.tif 000002
【特許請求の範囲】
【請求項１】
壁等に位置のマーキングを行う際のマーキング作業用のテンプレートシート装置であり、
適用物の位置のテンプレート標示を施した複数のシート体であって、それらの一部を重畳させて大シートを形成させた状態で完成されたテンプレート標示を表示させる複数のシート体と、
複数のシート体の重畳部の離隔複数位置において大シート状態でのシートの平面性を維持しつつ相互のシート体に取り付けた着脱接合部材を介して着脱自在に重畳接続する着脱接合手段と、を備えたことを特徴とするマーキング用テンプレートシート装置。
【請求項２】
着脱接合部材は雌雄嵌合により着脱接合されるものであることを特徴とする請求項１記載のマーキング用テンプレートシート装置。
【請求項３】
着脱接合部材は、厚みが薄い薄片構造体からなることを特徴とする請求項１又は２記載のマーキング用テンプレートシート装置。
【請求項４】
着脱接合部材は、相互に磁力吸着する磁力吸着部材を含む請求項１ないし３のいずれかに記載のマーキング用テンプレートシート装置。
【請求項５】
それぞれの着脱接合部材は、シート体に対してピン部材を貫通することによりそのシート体に対する着脱接合部材の接合位置が決められるようになっていることを特徴とする請求項１ないし４のいずれかに記載のマーキング用テンプレートシート装置。
【請求項６】
シート体は、巻き込み展開自在な合成樹脂プラスチックを素材とするものであることを特徴とする請求項１ないし５のいずれかに記載のマーキング用テンプレートシート装置。
【請求項７】
着脱接合部材は、剛性材からなる磁力吸着性を有する薄片構造体からなり、
着脱接合部材の外形形状のテンプレート標示をシート体に表示させることにより着脱接合部材のシート体に対する取付位置決めを行うことを特徴とする請求項１ないし６のいずれかに記載のマーキング用テンプレートシート装置。
【発明の詳細な説明】
【技術分野】
【０００１】
本発明は、例えば、壁、床、天井、道路あるいは自動車等の車体、船体等その他の広い平面や曲面等のマーキング作業を行う際に利用できるマーキング用テンプレートシート装置に関する。
【背景技術】
【０００２】
例えば、半導体洗浄装置や通信機等の大型機器類を現場に設置する際には、使い勝手や連係される機器類相互の位置関係等が重要になることから、予め各機器類の工場内の配置や機器類どうしの相対的な位置が設定されている。よって、機器類を設置するに当たり事前に床にマーカーペン等で設置位置等を示す標示をマーキングしておき、その標示に対応して機器類を設置する場合が多い。従来のマーキング方法では、例えば、特許文献１に提案されているようなマーキングテンプレートが利用される場合がある。特許文献１のマーキングテンプレートは、裏面に接着剤をつけた透明シートに、据付ける機器の輪郭線や穴あけ位置を記載し、この透明シートを機器の据付け位置の床面や壁面に貼り付け可能に構成されている。また、一方で、透明シートに接着剤をつけない態様のものも利用される場合がある。これらのマーキングテンプレートを床面や壁面等に設置して、記載された輪郭線や穴あけ位置を利用して機器類が設置され、穴あけ等を行った後に床から離脱されるものであった。
【０００３】
【特許文献１】実開昭６３−１５５００１号公報（実用新案登録請求の範囲、図１）
【発明の開示】
【発明が解決しようとする課題】
【０００４】
例えば、大型機械を複数台設置させるような現場では、縦横ともにそれぞれ数ｍ以上の大きなマーキングテンプレートが必要になるが、この様な場合には位置標示が記載された複数枚のマーキングテンプレートを粘着テープ等で接合して、所要の大きさを得る場合が多い。しかしながら、マーキングテンプレートを接合する作業では、互いのマーキングテンプレートの穴あけ位置標示等を確認しながらそれらの位置、方向等を位置合わせ微調整しつつ、その位置あわせ状態を維持しながら粘着テープ等で接合していく必要があるので、作業が煩雑で大きな労力を必要とし、時間もかかるものであった。さらに、マーキングテンプレートどうしが不意にずれてしまう場合も多く、穴あけ位置等に大きな誤差が生じたり、再度の接合作業が必要となることも多かった。また、現場とは別の場所で予めマーキングテンプレートどうしを接合しておき、現場での作業時間短縮を図ることも考えられるが、数ｍ×数ｍ以上という巨大なシートとなることから、接合したマーキングテンプレートを筒状に巻いてある程度まとめたとしてもその筒の長さは数ｍ以上と長いため運搬に不便であった。さらに、巨大なシートは扱いにくいとともに、現場での展開、設置作業の際に粘着テープがはずれてしまうこともあり、スムーズに行うのが困難であるという問題があった。
【０００５】
本発明は上記従来の課題に鑑みてなされたものであり、その一つの目的は、広面積現場でのマーキング作業にも好適に適用できるとともに、持ち運びや現場での設置作業を簡便かつスムーズに行えるうえ、テンプレート標示位置の精度も維持できる実用性の高いマーキング用テンプレートシート装置を提供することにある。
【課題を解決するための手段】
【０００６】
上記課題を解決するために本発明は、壁等に位置のマーキングを行う際のマーキング作業用のテンプレートシート装置であり、適用物の位置のテンプレート標示Ｍ１〜Ｍ４を施した複数のシート体であって、それらの一部を重畳させて大シート１３を形成させた状態で完成されたテンプレート標示Ｍ１〜Ｍ４を表示させる複数のシート体１２ａ，１２ｂと、複数のシート体の重畳部の離隔複数位置において大シート状態でのシートの平面性を維持しつつ相互のシート体１２ａ，１２ｂに取り付けた着脱接合部材１８，２１を介して着脱自在に重畳接続する着脱接合手段１４と、を備えたことを特徴とするマーキング用テンプレートシート装置１０から構成される。シート体１２ａ、１２ｂは、透明又は半透明の素材で形成するとシート体の重畳部を着脱接合部材１８，２１を介して接合させる際に位置確認がしやすく円滑に作業できるとともに、マーキング作業が行いやすい。テンプレート標示は適用物に対応して任意に設定される。
【０００７】
また、着脱接合部材１８，２１は雌雄嵌合により着脱接合されるものであることとしてもよい。
【０００８】
また、着脱接合部材１８，２１は、厚みが薄い薄片構造体からなることとしてもよい。すなわち、着脱接合部材１８，２１の取付位置で凹凸が少ない又はほとんどないように形成される。
【０００９】
また、着脱接合部材１８，２１は、相互に磁力吸着する磁力吸着部材を含むこととしてもよい。着脱接合部材１８，２１は、例えば、相互に磁極の異なる永久磁石を備えた構成としてもよく、また、いずれか一方に永久磁石を配置するとともに他方に鉄、ニッケル等の磁力吸着性金属部材を配置させるようにしてもよい。
【００１０】
また、それぞれの着脱接合部材１８，２１は、シート体１２ａ，１２ｂに対してピン部材２４を貫通することによりそのシート体１２ａ，１２ｂに対する着脱接合部材１８，２１の接合位置が決められるようになっていることとしてもよい。
【００１１】
また、シート体１２ａ，１２ｂは、巻き込み展開自在な合成樹脂プラスチックを素材とするものであることとしてもよい。
【００１２】
また、着脱接合部材１８，２１は、剛性材からなる磁力吸着性を有する薄片構造体からなり、着脱接合部材１８，２１の外形形状のテンプレート標示Ｍｐをシート体１２ａ，１２ｂに表示させることにより着脱接合部材のシート体１２ａ，１２ｂに対する取付位置決めを行うこととしてもよい。着脱接合部材１８，２１の外形形状のテンプレート標示Ｍｐは、適用物の位置のテンプレート標示Ｍ１〜Ｍ４を設計する際に同時に位置決め設定すると高精度に設定できる。
【発明の効果】
【００１３】
本発明のマーキング用テンプレートシート装置によれば、壁等に位置のマーキングを行う際のマーキング作業用のテンプレートシート装置であり、適用物の位置のテンプレート標示を施した複数のシート体であって、それらの一部を重畳させて大シートを形成させた状態で完成されたテンプレート標示を表示させる複数のシート体と、複数のシート体の重畳部の離隔複数位置において大シート状態でのシートの平面性を維持しつつ相互のシート体に取り付けた着脱接合部材を介して着脱自在に重畳接続する着脱接合手段と、を備えたことから、例えば、マーキング作業現場では着脱接合部材を介して簡便かつスムーズに複数のシート体を接合して大シートを形成させて広い面積のものに対応して良好にマーキング作業ができるとともに、運搬時には複数のシート体に分離した状態とすることで持ち運びしやすく、使い勝手がよい。また、重畳部の離隔複数位置において接合させるので、大シート状態に重畳接続した際に、完成されたテンプレート標示を誤差なく正確に表示でき、実用性が高いマーキング用テンプレートシート装置を実現できる。
【００１４】
また、着脱接合部材は雌雄嵌合により着脱接合されるものである構成とすることにより、接合構造を簡単に具現できるとともに、接合する際に着脱接合部材の接合が常に定められた位置で接合されるので、テンプレート標示を正確に形成することができる。また、接合後にも着脱接合部材どうしの位置ずれが生じにくく、完成されたテンプレート標示を良好に保持できる。
【００１５】
また、着脱接合部材は、厚みが薄い薄片構造体からなることから、シートの平面性を維持しつつ相互のシート体を着脱自在に重畳接続する着脱接合手段を具体的に実現し、誤差がない高精度の完成されたテンプレート標示を表示できる。
【００１６】
また、着脱接合部材は、相互に磁力吸着する磁力吸着部材を含む構成とすることにより、相互に接続するシート体の着脱接合部材を互いに近付けるだけで磁力吸着作用により接合されるので、着脱接合部材ごとに厳密に位置合わせしながら人手による押圧等の接合作業を不要とし、接合作業を簡便かつスピーディに行える。
【００１７】
また、それぞれの着脱接合部材は、シート体に対してピン部材を貫通することによりそのシート体に対する着脱接合部材の接合位置が決められるようになっていることにより、着脱接合部材を所定の取付位置に高精度に取り付けることができ、シート体の接合時に完成されたテンプレート標示を誤差なく正確に表示できる。さらに、構造が簡単で製造時に着脱接合部材のシート体への取付工程を簡単に行うことができる。
【００１８】
また、シート体は、巻き込み展開自在な合成樹脂プラスチックを素材とするものであることから、ある程度強度があり破れやしわが生じにくいうえ、湿気や温度等による誤差も生じにくく扱い易い。特に運搬時には筒状に巻き込んでコンパクトにまとめて持ち運びしやすい状態とすることができるとともに、現場での作業時には容易に展開させて設置作業を円滑に行える。
【００１９】
また、着脱接合部材は、剛性材からなる磁力吸着性を有する薄片構造体からなり、着脱接合部材の外形形状のテンプレート標示をシート体に表示させることにより着脱接合部材のシート体に対する取付位置決めを行うことから、着脱接合部材のシート体に対する取付位置を高精度に設定でき、さらには大シート状態にした際に表示される適用物の位置の完成されたテンプレート標示を高精度に設定できる。
【発明を実施するための最良の形態】
【００２０】
以下添付図面を参照しつつ本発明のマーキング用テンプレートシート装置について説明する。本発明のマーキング用テンプレートシート装置は、例えば、壁、床、天井、道路、或いは自動車、船等の広い平面や曲面を有するもの（壁等）に位置のマーキングを行なう際のマーキング作業用のテンプレートシート装置である。図１ないし図５は、本発明のマーキング用テンプレートシート装置の一実施形態を示している。本実施形態において、図１、図２、図３に示すように、マーキング用テンプレートシート装置１０は、複数のシート体１２ａ、１２ｂと、複数のシート体１２ａ、１２ｂを着脱自在に接続する着脱接合手段１４と、を備えている。
【００２１】
複数のシート体１２ａ、１２ｂは、一部を重畳させて図１に示すような大シート１３を形成するようになっており、その大シート１３は適用物の位置のテンプレート標示Ｍ１〜Ｍ４が表示されている。複数のシート体１２ａ、１２ｂの表面には例えば、半導体洗浄装置等の機器類の外形輪郭線の位置Ｍ１、脚やキャスター等の配置位置Ｍ２、機器類に接続される配管の埋め込み配置位置Ｍ３、床面の切削位置Ｍ４等の種々の適用物の位置決め用テンプレート標示が施されている。すなわち、各シート体１２ａ、１２ｂにはテンプレート標示が分割されて表示されており、シート体１２ａ、１２ｂの一部を重畳させて大シート１３を形成した状態で該分割されたテンプレート標示が組み合わされ、完成されたテンプレート標示を表示させる。シート体１２ａ，１２ｂは、例えば、ポリエチレンテレフタレート等の巻き込み展開自在な合成樹脂プラスチックを素材とした透明又は半透明のシート部材からなる。よって、シート体は、可撓性があり人の手で容易に巻き込んでコンパクトな筒体にまとめることができ運搬しやすい形態に変形することができる。同時に、ある程度強度があり破れやしわ等が生じにくいうえ、巻き込み状態から展開する際にはプラスチック素材自身の形状復元性により容易に展開させることができるので扱いやすく、さらには、マーキング標示の誤差も生じにくい。なお、可撓性を有しているので、壁や床等の平面に限らず、船舶外板等の曲面等にも対応して設置することができ、適用範囲が広く実用性が高い。また、透明又は半透明であることによりマーキング作業が行いやすいとともに、シート体の重畳部を後述の着脱接合部材１８，２１を介して接合させる作業の際にもそれらの両方の位置を目で確認でき円滑に作業できる。本実施形態では、シート体１２ａ，１２ｂは例えば約１ｍ×２ｍ程度の矩形状に形成されており、約１．８ｍ×２ｍの大シート１３を形成する。なお、本実施形態では、２枚のシート体を接合して大シート１３を形成する態様で示したがこれに限らず、３枚以上の複数枚のシート体を接合する態様としてもよい。また、複数のシート体を縦横に接合するようにしてもよい。シート体１２ａ、１２ｂへのマーキング標示の記載方法としては、例えば、大シート状態での完成された位置決め用マーキング標示Ｍ１〜Ｍ４をＣＡＤ（Computer Aided Design）等により設計し、それらを複数のシート体に分割し、プロッタやプリンタ等の出力装置によってシート体表面に印刷される。シート体１２ａ、１２ｂの大シート１３を形成する際に重畳される重畳部１６ａ、１６ｂには、着脱接合部材が取り付けられており着脱接合手段１４が構成されている。
【００２２】
図２に示すように、着脱接合手段１４は、複数のシート体１２ａ、１２ｂの重畳部１６ａ、１６ｂの離隔複数位置において大シート１３状態でのシートの平面性を維持しつつ相互のシート体１２ａ、１２ｂに取り付けた着脱接合部材（１８，２１）を介して着脱自在に重畳接続する。本実施形態では、着脱接合部材は雌雄嵌合により着脱接合されるもので構成されるとともに、相互に磁力吸着する磁力吸着部材を含む構成を同時に備えている。これにより、着脱接合部材どうしを高精度に接続できる構成でありながら簡便に接合できる構成となっている。
【００２３】
具体的には、図３、図４に示すように、一方のシート体１２ａの重畳部１６ａには着脱接合部材として雌型接合部材１８が、他方のシート体１２ｂの重畳部１６ｂには着脱接合部材として雄型接合部材２１が、それぞれのシート体に所定の間隔で離隔しつつ列状に配置されて取り付けられている。雌型、雄型接合部材１８、２１のシート体１２ａ、１２ｂへの取付位置は、後述のシート体に表示される着脱接合部材の外形形状のテンプレート標示Ｍｐによって設定されている。雌型、雄型接合部材１８、２１は、金属等の剛性素材からなる平面視円形状の平板状金具から形成されている。雌型接合部材１８は、円形薄板状の基部１９の中心位置に断面円形状の凹部２０が形成されており、例えば基部１９内に永久磁石等の磁力吸着部材を内蔵している。永久磁石としては、例えば、フェライト磁石、鉄・クロム・コバルト磁石、アルニコ磁石、サマリウムコバルト磁石やネオジム磁石等の希土類磁石等その他任意の磁石でよく、薄くて磁力が強いものが好適である。一方、雄型接合部材２１は、例えば、磁石に吸着される鉄、ニッケル等の強磁性金属素材からなり、雌型接合部材１８の基部１９よりも薄肉厚の円形薄板状の基部２２の中心に凹部２０に対応した円柱状の凸部２３が形成されている。そして、これらの凹部２０、凸部２３が雌雄嵌合状態で磁力吸着により接合される。これにより、雌型、雄型接合部材１８、２１に磁力吸着性を備えることにより、雌型、雄型接合部材どうしを相互に近付けるだけで、ある程度ラフな位置合わせでも磁力吸着作用により接合させることができる結果、雌型、雄型接合部材１８、２１どうしの厳密な位置合わせや個々の接合箇所に作業者が移動して手で押圧接合させるといった煩雑な作業を不要とし、簡便かつ短時間で接合することができる。さらに、凹凸部による雌雄嵌合させることにより雌型、雄型接合部材１８、２１どうしは常に一定の位置で接合されるとともに、接合した状態でも位置ずれがしにくい。すなわち、着脱接合部材である雌型、雄型接合部材１８、２１は、常に一定の位置で接続できる定位置接合構造を有している。雌型、雄型接合部材１８、２１は、例えば、雌雄接合状態での厚さが３〜４ｍｍ程度に形成されており、厚みが薄い薄片構造体からなる。これにより、シート体の重畳部接続状態でシートの平面性を維持を実現しており、完成されるテンプレート標示Ｍ１〜Ｍ４を誤差なく正確に形成できる。本実施形態では、磁力吸着部材は雌型、雄型接合部材１８、２１の一方に永久磁石、他方に鉄等の磁力吸着する金属で構成されているが、雌型、雄型接合部材１８、２１ともに、永久磁石を含む構成としてもよい。また、雌雄着脱部材の形状は平面視円形に限らず、例えば、平面視三角形、四角形、五角形以上の多角形、楕円形等その他任意の形状でよい。また、雌型、雄型接合部材は永久磁石等の磁力吸着部材を有するものに限らず、例えば、図７に示すように、凹凸部２０，２３の係合により着脱自在に接合される雌雄１対のホックボタン（スナップボタン）からなる構成でもよい。
【００２４】
図４、図５、図６に示すように、本実施形態では、各雌型、雄型接合部材１８、２１の基部２０，２２の裏面側すなわちシート体との当着面側には、１対のピン部材２４が突設されている。ピン部材２４は雌型、雄型接合部材１８、２１をシート体の取付位置マーキング表示Ｍｐに対応して位置決めしながら固定する取付用脚部材であり、それぞれの雌型、雄型接合部材１８、２１は、シート体１２ａ，１２ｂに対してそれらのピン部材２４を貫通することによりそのシート体に対する接合位置が決められる。これにより、簡単な構成で、雌型、雄型接合部材１８、２１をシート体の所定位置へ高精度に位置決めさせ得る。本実施形態では、ピン部材２４は、例えば、細長薄肉厚の金属製板で形成され、基部１９、２２に一体的に固定されており、各雌型、雄型接合部材１８、２１のシート体への取付時に、後述のシート体に表示された雌型、雄型接合部材の取付位置用テンプレート標示Ｍｐに対応して形成されている１対の平行線状の切込み２８を貫通される。本実施形態では、シート体１２ａ，１２ｂの雌型、雄型接合部材１８、２１の装着裏面側には、貫通孔２７を有する平板状の座金部材２６があてがわれ、シート体１２ａ，１２ｂの切込み２８を貫通したピン部材２４，２４にさらに座金部材２６の貫通孔２７を挿通し、ピン部材２４を外方向に外側に曲折して取付け固定される。なお、ピン部材２４は、1個でもよく、３個以上の複数個設けられていてもよい。また、雌型、雄型接合部材１８、２１のシート体１２ａ，１２ｂへの取付方法は、上記のものに限らず、例えば、接着剤やねじ、かしめ等の任意の固定手段により固定しても良い。
【００２５】
さらに、本実施形態では、シート体１２ａ、１２ｂには、図６に示すように、雌型、雄型接合部材１８、２１のシート体に対する取付位置決めを行うための雌型、雄型接合部材１８、２１の外形形状のテンプレート標示Ｍｐが表示されている。なお、図６では、雌型接合部材１８側について図示しているが、雄型接合部材２１側についても同様に構成される。本実施形態では、取付位置決め用のテンプレート標示Ｍｐは、雌型、雄型接合部材の外形形状に沿う円形の標示が施されている。テンプレート標示Ｍｐの円形表示内部にはピン部材の貫通位置を示す平行な１対の線状標示Ｍｓが施されており、雌雄型接合部材のピン部材２４を貫通させるにあたり、線状標示Ｍｓに沿って予め切込み２８が形成される。この接合部材取付位置決め用のテンプレート標示Ｍｐは、機器類等の位置決め用テンプレート標示Ｍ１〜Ｍ４と同時にＣＡＤ等により所定の位置に設計されて印刷される。これにより、シート体１２ａ，１２ｂへの所定位置への接合部材１８，２１の取り付け位置の設定を精度を維持しつつ簡単に実現できる。
【００２６】
本実施形態に係るマーキング用テンプレートシート装置１０を用いてマーキング作業を行う際には、例えば、予め半導体洗浄装置等の適用物に応じたマーキング標示が施された複数のシート体１２ａ，１２ｂを製造しておき、半導体製造工場等の現場に搬送する。この際、比較的広くない大きさの複数のシート体に分離した状態でそれぞれのシート体１２ａ，１２ｂを筒状に巻き込んでコンパクトな状態で楽に現場へ運ぶことができる。現場で、テンプレートシート装置１０を床面等に設置する際には、複数のシート体１２ａ，１２ｂを展開して、それらを所定の位置に並べながら一部を重畳させつつ、該重畳部に取り付けられた雌型、雄型接合部材１８，２１を介して重畳接続して大シート１３を形成させる。この際、雌雄接合部材１８，２１の磁力吸着作用によりそれらをある程度近付けるだけで簡単に接合されるとともに、凹凸部による雌雄嵌合により定められた正確な位置で接合される。よって、高精度に復元された完成されたマーキング標示Ｍ１〜Ｍ４が表示された状態で所定の床面上等に設置される。マーキング用テンプレートシート装置１０を床面に設置した状態で、該マーキング標示Ｍ１〜Ｍ４に応じて、例えば、シート体の一部を切り欠いたりして、床面等にマーカーペン等でマーキングする。マーカーペン等によるマーキング作業が終了した後には、マーキング用テンプレートシート装置１０を撤去して、機器類の設置等が行われる。なお、マーカーペン等によるマーキングを行わずに、床面等に設置されたマーキング用テンプレートシート装置１０による位置表示を目安として位置決めすることとしてもよい。
【００２７】
以上説明した本発明のマーキング用テンプレートシート装置は、上記した実施形態のみの構成に限定されるものではなく、特許請求の範囲に記載した本発明の本質を逸脱しない範囲において、任意の改変を行ってもよい。
【産業上の利用可能性】
【００２８】
本発明のマーキング用テンプレートシート装置は、例えば、壁、床、天井、道路に機器類等の位置のマーキングを行う際に適用できる。また、自動車等の車体、船体等にマーキング作業を行う際にも適用できる。また、その他、広い平面や曲面に位置決めマーキング作業を行う際に好適に適用できる。
【図面の簡単な説明】
【００２９】
【図１】本発明の実施形態に係るマーキング用テンプレートシート装置の平面図である。
【図２】図１のマーキング用テンプレートシート装置の複数のシート体に分離した状態を示す一部省略説明図である。
【図３】図２のマーキング用テンプレートシート装置の着脱接合手段部分の分離状態での拡大説明図である。
【図４】着脱接合手段部分の分離状態での断面説明図である。
【図５】着脱接合部材とシート体との分離されている状態を示す断面説明図である。
【図６】着脱接合部材の雌接合部材とシート体との分離されている状態を示す斜視説明図である。
【図７】着脱接合部材の他の形態を示す斜視説明図である。
【符号の説明】
【００３０】
１０  マーキング用テンプレートシート装置
１２ａ、１２ｂ  シート体
１４  着脱接合手段
１６ａ、１６ｂ  重畳部
１８  雌型接合部材
２１  雄型接合部材
２４  ピン部材
Ｍ１〜Ｍ４  テンプレート標示
Ｍｐ  接合部材の外形形状のテンプレート標示
【図１】
2008107213.tif 000003
【図２】
2008107213.tif 000004
【図３】
2008107213.tif 000005
【図４】
2008107213.tif 000006
【図５】
2008107213.tif 000007
【図６】
2008107213.tif 000008
【図７】
2008107213.tif 000009